(57)【要約】【課題】  外部電源からの給電が不測に遮断されないように改良された電動工具を提供する。【解決手段】  一端が電動工具本体１０３に連結され、他端に第１電気端子１６１が設けられ、モータ１１１に外部電源から給電するための第１給電部材１５１と、第２電気端子１７１を有し、当該第２電気端子１７１が第１電気端子１６１に係合されることによって第１給電部材１５１に選択的に連結され、これによって第１給電部材１５１を経由してモータ１１１に外部電源から給電するための第２給電部材１５３と、第１電気端子１６１と第２電気端子１７１の係合をロックして当該係合状態を維持する係合ロック部１８１とを有し、第１電気端子１６１と第２電気端子１７１の一方は雄型端子、他方は雌型端子として設定され、当該雄型端子が雌型端子に挿入されるとともに、係合ロック部１８１によって雄型端子と雌型端子との係合状態がロックされた場合にのみ、モータ１１１の通電が可能とされる。【選択図】  図１
2012228741.tif 000002
【特許請求の範囲】
【請求項１】
先端工具をモータで駆動することにより所定の作業を行う電動工具であって、
前記モータを収容する電動工具本体と、
一端が前記電動工具本体に連結され、他端に第１電気端子が設けられ、前記モータに外部電源から給電するための第１給電部材と、
第２電気端子を有し、当該第２電気端子が前記第１電気端子に係合されることによって前記第１給電部材に選択的に連結され、これによって前記第１給電部材を経由して前記モータに前記外部電源から給電するための第２給電部材と、
前記第１電気端子と前記第２電気端子の係合をロックして当該係合状態を維持する係合ロック部とを有し、
前記第１電気端子と前記第２電気端子の一方は雄型端子、他方は雌型端子として設定され、当該雄型端子が雌型端子に挿入されるとともに、前記係合ロック部によって前記雄型端子と前記雌型端子との係合状態がロックされた場合にのみ、前記モータへの通電が可能とされることを特徴とする電動工具。
【請求項２】
請求項１に記載の電動工具であって、
前記雄型端子が前記雌型端子に挿入され、前記係合ロック部によって前記雄型端子と前記雌型端子との係合状態がロックされた場合に、前記第２給電部材から前記第１給電部材への通電が行われるように構成されていることを特徴とする電動工具。
【請求項３】
請求項１または２に記載の電動工具であって、
前記雄型端子の前記雌型端子への挿入動作と、前記係合ロック部による前記雄型端子と前記雌型端子との係合ロック動作が別個に行われるように構成されていることを特徴とする電動工具。
【請求項４】
請求項１〜３のいずれかに記載の電動工具であって、
前記第１給電部材は、全部または一部が可撓部材で構成されるとともに、所定の撓み形状が保持されるように構成されていることを特徴とする電動工具。
【請求項５】
請求項１〜４のいずれかに記載の電動工具であって、
前記モータへの通電が可能とされた通電可能状態を作業者に報知する報知部を有することを特徴とする電動工具。
【発明の詳細な説明】
【技術分野】
【０００１】
本発明は、モータで駆動される先端工具により被加工材に所定の加工作業を遂行する手持ち式の電動工具に関する。
【背景技術】
【０００２】
特開平２００３−１１７８５５号公報（特許文献１）は、ハウジングに電源コード着脱用のソケットを備えた電動工具の電源接続装置を開示している。ソケットは、ソケット側電極片とソケット側係合部とを有する。着脱式電源コード（延長コード）の一端に設けられたプラグは、プラグ側電極片とプラグ側係合部とを有する。そして、ソケットに対してプラグが第１の位置に相対回動されると、ソケット側係合部とプラグ側係合部の係合ロックが解除されてソケット側電極片にプラグ側電極片が抜き差し可能とされる。一方、ソケット側電極片にプラグ側電極片が差し込まれた状態で、ソケットに対してプラグが第２の位置に相対回動されると、ソケット側係合部とプラグ側係合部が係合ロックされてソケットからプラグが抜き取り不能とされる。
【０００３】
上記公報に記載の電源接続装置の場合、ソケットに対してプラグが挿入されると同時に、ソケット側電極片とプラグ側電極片が電気的に接続される構成であり、ソケットに対するプラグの係合ロックは、ソケット側電極片とプラグ側電極片が接続された状態で行われる構成である。すなわち、ソケットに対するプラグの係合ロック（抜け止め）がなされていない状態でのモータの通電駆動が可能である。このため、係合ロックがなされていない状態で加工作業を行った場合、当該加工作業中に電源コードが電動工具から外れて外部電源からの給電が遮断する可能性があり、この点でなお改良の余地がある。
【先行技術文献】
【特許文献】
【０００４】
【特許文献１】特開平２００３−１１７８５５号公報
【発明の概要】
【発明が解決しようとする課題】
【０００５】
本発明は、上記に鑑みてなされたものであり、作業中に外部電源からの給電が不測に遮断されないように改良された電動工具を提供することをその目的とする。
【課題を解決するための手段】
【０００６】
上記課題を解決するべく、本発明の好ましい形態によれば、先端工具をモータで駆動することにより所定の作業を行う電動工具が構成される。本発明における「所定の作業を行う電動工具」としては、先端工具が長軸方向の直線動作、あるいは長軸周りに回転動作して被加工材にハツリ作業や穴明け作業を行うハンマ、ハンマドリル等の打撃工具、先端工具が回転運動して被加工材の切断作業を行う丸鋸等の切断工具、先端工具が回転運動してねじ締め作業を行う締付工具、及び穴明け作業を行う電動ドリル、あるいは先端工具が往復直線運動して生垣の刈り込み作業を行う生垣バリカン等の園芸工具等の、電動式工具を広く包含する。
【０００７】
本発明に係る電動工具は、電動工具本体と、第１給電部材と、第２給電部材と、係合ロック部とを有する。電動工具本体は、モータを収容する。第１給電部材は、一端が電動工具本体に連結され、他端に第１電気端子が設けられており、モータに外部電源から給電する部材として備えられる。第２給電部材は、第２電気端子を有し、電気端子が第１電気端子に係合されることによって第１給電部材に選択的に連結され、これによって第１給電部材を経由してモータに外部電源から給電する部材として備えられる。係合ロック部は、第１電気端子と第２電気端子の係合をロックして当該係合状態を維持する。そして、第１電気端子と第２電気端子のうち一方は雄型端子、他方は雌型端子として設定され、当該雄型端子が雌型端子に挿入されるとともに、係合ロック部によって雄型端子と雌型端子との係合状態がロックされた場合にのみ、モータへの通電が可能とされる。なお、本発明における「第１給電部材」としては、典型的には工具本体に固定される固定コードがこれに該当し、「第１電気端子」としては、典型的には固定コードの端部に設定される工具側コネクタがこれに該当する。また、本発明における「第２給電部材」としては、典型的には外部電源に接続される電源コードがこれに該当し、「第２電気端子」としては、典型的には電源コードの端部に設定される電源コード側コネクタがこれに該当する。
【０００８】
本発明の好ましい形態によれば、雄型端子、雌型端子として構成される第１電気端子と第２電気端子との係合状態が係合ロック部によってロックされた場合にのみ、モータへの通電を可能としている。すなわち、係合ロック部によってロックがなされていないと、モータに通電できない。したがって、作業者は、加工作業中に外部電源が不測に遮断される心配がないため、安心して加工作業を遂行できる。
【０００９】
本発明の更なる形態によれば、雄型端子が雌型端子に挿入され、係合ロック部によって雄型端子と雌型端子との係合状態がロックされた場合に、第２給電部材から第１給電部材への通電が行われるように構成されている。
この形態によれば、第２給電部材と第１給電部材が電気的に接続された時点でモータへの通電が可能とされる。
【００１０】
本発明の更なる形態によれば、雄型端子の雌型端子への挿入動作と、係合ロック部による雄型端子と雌型端子との係合ロック動作が別個に行われるように構成されている。なお、本発明における「係合ロック動作」とは、典型的には雄型端子と雌型端子を軸線周り（挿入動作方向周り）に回転させる動作がこれに該当する。
この形態によれば、係合ロック部による雄型端子と雌型端子との係合ロック動作が行われた場合にのみ、モータへの通電を可能とすることができる。
【００１１】
本発明の更なる形態によれば、第１給電部材は、全部または一部が可撓部材で構成されるとともに、所定の撓み形状が保持されるように構成されている。
この形態によれば、加工作業を遂行する場合に、電動工具本体に連結された第１給電部材を作業の邪魔にならない方向に向きを変えてその状態を維持することができる。
【００１２】
本発明の更なる形態によれば、モータへの通電が可能とされた通電可能状態を作業者に報知する報知部を有する。なお、本発明における「報知部」としては、光による報知、音による報知、あるいは光と音の双方よる報知を適宜採用することが可能である。
この形態によれば、報知部によってモータの通電可能状態を作業者に知らせることができる。
【発明の効果】
【００１３】
本発明によれば、作業中に外部電源からの給電が不測に遮断されないように改良された電動工具が提供されることとなった。
【図面の簡単な説明】
【００１４】
【図１】本発明の実施形態に係るハンマドリルの全体構成を示す外観図であり、コードの接続解除状態を示す。
【図２】コードの接続解除状態を示す拡大断面図である。
【図３】コードの接続状態を示す拡大断面図である。
【図４】工具側コネクタの外観図である。
【図５】工具側コネクタの正面図である。
【図６】電源コード側コネクタの正面図である。
【発明を実施するための最良の形態】
【００１５】
以下、本発明の実施形態につき、図１〜図６を参照しつつ詳細に説明する。本実施形態は、電動工具の一例として電動式のハンマドリルを用いて説明する。図１に示すように、本実施の形態に係るハンマドリル１０１は、概括的に見て、ハンマドリル１０１の外郭を構成する本体部１０３と、本体部１０３の長軸方向（図１の左右方向）の一端側（先端領域）にツールホルダ１３７を介して取外し自在に取付けられるハンマビット１１９と、本体部１０３におけるハンマビット１１９の反対側に連接されたメインハンドルとしてのハンドグリップ１０９とを主体として構成される。本体部１０３は、本発明における「電動工具本体」に対応し、ハンマビット１１９は、本発明における「先端工具」に対応する。ハンマビット１１９は、ツールホルダ１３７により、その長軸方向への相対的な往復動が可能に、かつその周方向への相対的な回動が規制された状態で保持される。
【００１６】
本体部１０３は、駆動モータ１１１（便宜上図示を省略する）を収容するモータハウジング１０５と、運動変換機構１１３、打撃要素１１５および動力伝達機構１１７を収容するギアハウジング１０７とを主体として構成される。駆動モータ１１１の回転出力は、クランク機構を主体として構成される運動変換機構１１３によって直線運動に適宜変換された上で打撃要素１１５に伝達され、当該打撃要素１１５を介してハンマビット１１９の長軸方向（図１における左右方向）への衝撃力を発生する。また、駆動モータ１１１の回転出力は、複数のギアを主体として構成される動力伝達機構１１７によって適宜減速された上で最終軸としてのツールホルダ１３７を介してハンマビット１１９に伝達され、当該ハンマビット１１９が周方向に回転動作される。駆動モータ１１１は、ハンドグリップ１０９に配置されたトリガ１０９ａの、作業者による引き操作によって通電駆動され、引き操作の解除によって通電が遮断されるように構成される。なお、運動変換機構１１３、打撃要素１１５及び動力伝達機構１１７の具体的構成については、周知の技術であり、かつ本発明に直接には関係しないため、その説明を省略する。駆動モータ１１１は、本発明における「モータ」に対応する。
【００１７】
次にモータ駆動用の電力を外部電源からハンマドリル１０１に供給するコード接続装置１５０につき説明する。コード接続装置１５０は、図１に示すように、本体部１０３に固定される固定コード１５１と、外部電源に接続可能な着脱式の電源コード１５３と、それら両コード１５１，１５３を互いに接続するためのコードコネクタ１５５とを主体に構成される。固定コード１５１は、本発明における「第１給電部材」に対応し、電源コード１５３は、本発明における「第２給電部材」に対応する。
【００１８】
固定コード１５１は、コードガード１５７を介して本体部１０３に固定されている。固定コード１５１は、延在方向の一端部において導体の端部が本体部１０３内の電線に通電可能に接続され、延在方向の他端部には工具側コネクタ１６１が固定されている。コードガード１５７は、可撓性部材によって形成されたフレキシブルコードガードとして構成されており、撓み形状が維持されるように構成される。
【００１９】
着脱式の電源コード１５３は、外表面が着色されて識別が可能とされた色付きコードとして構成される。電源コード１５３は、延在方向の一端部には、外部電源としてのコンセント（便宜上図示を省略する）に差し込み可能なプラグ１５４を有し、延在方向の他端部には電源コード側コネクタ１７１が固定されている。
【００２０】
コードコネクタ１５５は、固定コード１５１の端末に固定された工具側コネクタ１６１と、電源コード１５３の端末に固定された電源コード側コネクタ１７１によって構成される。工具側コネクタ１６１は、本発明における「第１電気端子」に対応し、電源コード側コネクタ１７１は、本発明における「第２電気端子」に対応する。
【００２１】
工具側コネクタ１６１は、雄型コネクタとして設定され、電源コード側コネクタ１７１は、雌型コネクタとして設定されている。そして、工具側コネクタ１６１を電源コード側コネクタ１７１に挿入後、両コネクタ１６１，１７１を相対的に９０度回動させたときに、固定コード１５１と電源コード１５３が電気的に接続されるとともに、工具側コネクタ１６１と電源コード側コネクタ１７１が抜け止めされて当該接続状態が維持されるように構成される。
【００２２】
以下、各コネクタ１６１，１７１の構造につき説明する。図２〜図５に示すように、工具側コネクタ１６１は、固定コード１５１に固定された略円柱状のコネクタ本体部１６３及びコネクタ本体部１６３よりも小径の略円柱状の差込部１６５を有する。また、差込部１６５の端面から陽極と陰極の２本の電極片１６７が軸方向に所定長さで突出されている。２本の電極片１６７は、コネクタ内部において固定コード１５１の導体１５１ａと接続された円柱状のピン部材として構成されるとともに、差込部１６５の径方向において対向状に配置されている。すなわち、２本の電極片１６７は、軸対称位置に配置されている。
【００２３】
電源コード側コネクタ１７１は、図２、図３及び図６に示すように、電源コード１５３に固定された略円柱状のコネクタ本体部１７３を有し、当該コネクタ本体部１７３に工具側コネクタ１６１の差込部１６５が挿入可能な略円形状の受け口１７５が形成されている。また、コネクタ本体部１７３内には、電源コード１５３の導体１５３ａに接続された陽極と陰極の２本の電極片１７７が埋設状に配置されている。２本の電極片１７７は、工具側コネクタ１６１の電極片１６７に対応するように受け口１７５の径方向において対向状に配置される。電源コード側コネクタ１７１のコネクタ本体部１７３には、工具側コネクタ１６１の差込部１６５が受け口１７５に挿入された際に、工具側コネクタ１６１の２本の電極片１６７をそれぞれ導入する２個の電極片ガイド孔１７９が形成されている。各電極片ガイド孔１７９は、受け口１７５の底面に開口するとともに、コネクタ本体部１７３の周方向に所定の角度（略９０度の）範囲で延在する円弧状の長孔として形成されている。電源コード側コネクタ１７１の各電極片１７７は、電極片ガイド孔１７９の孔底における周方向の一端側に置かれるように配置されるとともに、工具側コネクタ１６１の電極片１６７を受け入れるべく、電極片ガイド孔１７９と対向する部分が開口された略Ｃ形に形成されている。
【００２４】
そして、本実施の形態に係るコードコネクタ１５５は、工具側コネクタ１６１の差込部１６５を電源コード側コネクタ１７１の受け口１７５に挿入後、周方向に略９０度相対回動させたときに、工具側コネクタ１６１の電極片１６７が電源コード側コネクタ１７１の電極片１７７に接触されるように構成され、これにより固定コード１５１と電源コード１５３間での通電が可能とされる。
【００２５】
次にコードコネクタ１５５の接続状態、すなわち工具側コネクタ１６１と電源コード側コネクタ１７１との係合状態をロックする係合ロック部１８１につき、図２〜図６を参照しつつ説明する。係合ロック部１８１は、本発明における「係合ロック部」に対応する。係合ロック部１８１は、工具側コネクタ１６１の差込部１６５の外面に形成されたガイド溝１８３と、電源コード側コネクタ１７１の受け口１７５の内面に形成された突起１８５とによって構成される。ガイド溝１８３は、互いに連接して軸方向と周方向に交差状に延在する第１ガイド溝１８３ａ及び第２ガイド溝１８３ｂからなる。第２ガイド溝１８３ｂは、差込部１６５のコネクタ本体部１６３との近接部位において周方向に少なくとも９０度の範囲で延在する。ガイド溝１８３は、差込部１６５の径方向において互いに対向する位置に２個設けられる。すなわち、軸対称位置に配置され、それぞれが２個の電極片１６７に対し周方向に９０度ずれている。
【００２６】
突起１８５は、ガイド溝１８３に対応して２個設けられ、受け口１７５の径方向において互いに対向する位置に形成されている。２個の突起１８５は、工具側コネクタ１６１の差込部１６５を電源コード側コネクタ１７１の受け口１７５に挿入する際、ガイド溝１８３の軸方向に延在する第１ガイド溝１８３ａに対し周方向に関する位置が合致するように位置決めされる。このとき、工具側コネクタ１６１の電極片１６７と電源コード側コネクタ１７１の電極片１７７とが周方向において９０度ずれるように設定されている。
【００２７】
次に工具側コネクタ１６１と電源コード側コネクタ１７１とを接続する操作につき説明する。まず、工具側コネクタ１６１の差込部１６５と電源コード側コネクタ１７１の受け口１７５につき、突起１８５とガイド溝１８３の第１ガイド溝１８３ａが周方向において合致するように位置決め操作する。これにより工具側コネクタ１６１の差込部１６５が電源コード側コネクタ１７１の受け口１７５に対して挿入可能とされる。すなわち、工具側コネクタ１６１と電源コード側コネクタ１７１は、周方向に関して突起１８５と第１ガイド溝１８３ａが合致する所定の位置でのみ挿入が許容される構成である。この状態が図２に示される。上記の操作により、挿入許容位置に位置決めされた場合、工具側コネクタ１６１の電極片１６７は、電源コード側コネクタ１７１の電極片ガイド孔１７９の円弧状領域のうち、電極片１７７が配置されている側とは反対側の端部に置かれる（図６の二点鎖線参照）。
【００２８】
上記の位置決め操作後、工具側コネクタ１６１の差込部１６５を電源コード側コネクタ１７１の受け口１７５に挿入すると、突起１８５が第１ガイド溝１８３ａに沿って相対移動する。これにより工具側コネクタ１６１と電源コード側コネクタ１７１が直線的に相対移動動作するよう案内される。一方、工具側コネクタ１６１の電極片１６７が電極片ガイド孔１７９内に挿入される。そして、突起１８５が第１ガイド溝１８３ａの第２ガイド溝１８３ｂとの連接領域に達すると、工具側コネクタ１６１の電極片１６７の先端が電極片ガイド孔１７９の孔底に到達するが、この時点では工具側コネクタ１６１の電極片１６７は、電源コード側コネクタ１７１の電極片１７７に接触しない。
【００２９】
次に両コネクタ１６１，１７１を周方向に相対回動すると、突起１８５が第２ガイド溝１８３ｂに沿って周方向に相対移動する。このとき、工具側コネクタ１６１の電極片１６７も電極片ガイド孔１７９に沿って周方向に相対移動し、そして両コネクタ１６１，１７１が概ね９０度相対回動されたときに、工具側コネクタ１６１の電極片１６７が電源コード側コネクタ１７１の電極片１７７に接触される。これにより、固定コード１５１と電源コード１５３が電気的に接続され、相互間での通電が可能とされる。また、両電極片１６７，１７７が接触された状態では、突起１８５が周方向の第２ガイド溝１８３ｂの側面に係合（接触）することで工具側コネクタ１６１と電源コード側コネクタ１７１との軸方向の相対移動が規制される。これにより工具側コネクタ１６１と電源コード側コネクタ１７１が互いに抜け止めされた係合状態にロックされ、両電極片１６７，１７７の接触状態が維持される。工具側コネクタ１６１と電源コード側コネクタ１７１が互いに抜け止めされた状態が、本発明における「係合ロック状態」に対応し、この状態が図３に示される。
【００３０】
上記のように、本実施の形態によれば、工具側コネクタ１６１を電源コード側コネクタ１７１に挿入後、両コネクタ１６１，１７１を周方向に相対回動させて互いに抜け止めされた係合状態にロックされた場合にのみ、両電極片１６７，１７７が接触状態に置かれる構成である。これにより、固定コード１５１と電源コード１５３が電気的に接続され、外部電源から電源コード１５３、固定コード１５１を経て駆動モータ１１１への通電が可能となる。したがって、この状態でトリガ１０９ａを引き操作することで、駆動モータ１１１を通電駆動し、所定の加工作業を遂行することができる。
【００３１】
すなわち、本実施の形態によれば、工具側コネクタ１６１の電極片１６７と電源コード側コネクタ１７１の電極片１７７が互いに接触されて通電可能状態にあるということが、工具側コネクタ１６１と電源コード側コネクタ１７１が互いに抜け止めされたロック状態にあるということになる。このため、作業者は、加工作業中に外部電源が不測に遮断される心配をすることなく、安心して加工作業を遂行できる。
【００３２】
なお、固定コード１５１から電源コード１５３を取外す場合は、まず工具側コネクタ１６１と電源コード側コネクタ１７１とを、接続時とは反対方向に相対回動させて突起１８５を第２ガイド溝１８３ｂと第１ガイド溝１８３ａとの連接領域へと移動して両コネクタ１６１，１７１の係合ロックを解除する。次に両コネクタ１６１，１７１を互いに離間する方向へと直線的に相対移動すれば、固定コード１５１から電源コード１５３を取外すことができる。
【００３３】
また、本実施の形態では、電源コード側コネクタ１７１には、駆動モータ１１１に対する通電状態を報知するための報知器１８７が取付けられている。報知器１８７は、本発明における「報知部」に対応する。報知器１８７は、複数（２種類）のＬＥＤランプ（発光ダイオード）１８７ａ，１８７ｂを主体に構成される。一方のＬＥＤランプ１８７ａは、駆動モータ１１１への通電可能状態を報知するランプとして定められ、他方のＬＥＤランプ１８７ｂは、通電不可能状態を報知するランプとして定められている。そして、工具側コネクタ１６１と電源コード側コネクタ１７１が正常に接続された場合、つまり抜け止めされたロック状態のときには、一方のＬＥＤランプ１８７ａが点灯されるとともに、他方のＬＥＤランプ１８７ｂが消灯され、ロック解除状態では、他方のＬＥＤランプ１８７ｂが点灯されるとともに、一方のＬＥＤランプ１８７ａが消灯されるように構成されている。複数のＬＥＤランプ１８７ａ，１８７ｂは、点灯時に互いに異なる色を発光するよう設定される。例えば、一方のＬＥＤランプ１８７ａが青色を発光し、他方のＬＥＤランプ１９３ｂが赤色を発光するよう設定される。したがって、本実施の形態によれば、作業者は、いずれの色のＬＥＤランプ１８７ａ，１８７ｂが点灯しているかによってコードコネクタ１５５の接続状態を的確に知ることができる。
【００３４】
また、本実施の形態によれば、固定コード１５１を保護するチューブ状のコードガード１５７につき、可撓性部材で形成するとともに、所定の撓み形状が保持されるように構成されている。したがって、コードガード１５７を任意に曲げ、かつ曲げた形状を保持できるため、加工作業を行うときに、固定コード１５１を作業の邪魔にならない方向に向けてその状態を維持できる。
【００３５】
また、本実施の形態では、電源コード１５３を固定コード１５１に対して着脱自在とされている。このため、例えば長さの異なる数種類の電源コードを用意しておくことで、作業場所や目的に応じて適宜使い分けることが可能である。また、電源コード１５３を長さに応じて色分けされた色付きコードとすることで、自分が使用している電源コードと他の電源コードとの識別が容易となり、例えば複数のコンセントを有する電源コードリールを用いて給電する場合に、誤って他の電源コードを取外すことが回避される。
【００３６】
なお、本実施の形態では、工具側コネクタ１６１を電源コード側コネクタ１７１に挿入後、両コネクタ１６１，１７１を相対回動させてロックした場合に、工具側コネクタ１６１の電極片１６７と電源コード側コネクタ１７１の電極片１７７が接触し、これにより駆動モータ１１１に対する通電が可能としたが、この構成に変え、両コネクタ１６１，１７１のロックを検知し、当該検知信号に基づいて駆動モータ１１１に対する通電を可能とする構成に変更してもよい。
すなわち、工具側コネクタ１６１を電源コード側コネクタ１７１に挿入後、両コネクタ１６１，１７１を相対回動させてロックした場合に、当該ロック状態をセンサーによって検知し、モータ制御用のコントローラ（便宜上図示を省略する）に前記センサーからの検知信号が入力された場合に、当該コントローラが駆動モータ１１１に対する通電を可能とする構成である。この場合は、工具側コネクタ１６１を電源コード側コネクタ１７１に挿入した際に、工具側コネクタ１６１の電極片１６７と電源コード側コネクタ１７１の電極片１７７が接触する構成であっても構わない。
【００３７】
また、工具側コネクタ１６１を雌型コネクタとし、電源コード側コネクタ１７１を雄型コネクタにしてもよい。また、ガイド溝１８３と突起１８５とによって構成される係合ロック部１８１については、雄型コネクタとして構成された工具側コネクタ１６１の差込部１６５の外面に突起１８５を設け、雌型コネクタとして構成された電源コード側コネクタ１７１の受け口１７５の内面にガイド溝１８３を設ける構成に変更してもよい。
【００３８】
また、本実施の形態は、電動工具の一例として、ハンマビット１１９が長軸方向の直線動作と長軸周りの回転動作を行うハンマドリル１０１の場合で説明したが、ハンマドリル１０１に限るものではなく、ハツリ作業に用いられるハンマ、ねじ締め作業に用いられるねじ締め機、切断作業を行う丸鋸等の切断工具、あるいは生垣の刈り込み作業に用いられる生垣バリカン等の園芸工具等に広く適用することが可能である。
【００３９】
上記発明の趣旨に鑑み、下記のごとき態様が構成可能である。
（態様１）
「先端工具をモータで駆動することにより所定の作業を行う電動工具であって、
前記モータを収容する電動工具本体と、
一端が前記電動工具本体に連結され、他端に第１電気端子が設けられ、前記モータに外部電源から給電するための第１給電部材と、
第２電気端子を有し、当該第２電気端子が前記第１電気端子に係合されることによって前記第１給電部材に選択的に連結され、これによって前記第１給電部材を経由して前記モータに前記外部電源から給電するための第２給電部材と、
前記第１電気端子と前記第２電気端子の係合をロックして当該係合状態を維持する係合ロック部とを有し、
前記第１電気端子と前記第２電気端子の一方は雄型端子、他方は雌型端子として設定され、当該雄型端子が雌型端子に挿入されるとともに、前記係合ロック部によって前記雄型端子と前記雌型端子との係合状態がロックされた場合にのみ、前記モータへの通電が可能とされることを特徴とする電動工具。」
【００４０】
（態様２）
「態様１に記載の電動工具であって、
前記雄型端子が前記雌型端子に挿入され、前記係合ロック部によって前記雄型端子と前記雌型端子との係合状態がロックされた場合に、前記第２給電部材から前記第１給電部材への通電が行われるように構成されていることを特徴とする電動工具。」
【００４１】
（態様３）
「態様１または２に記載の電動工具であって、
前記雄型端子の前記雌型端子への挿入動作と、前記係合ロック部による前記雄型端子と前記雌型端子との係合ロック動作が別個に行われるように構成されていることを特徴とする電動工具。」
【００４２】
（態様４）
「態様１〜３のいずれかに記載の電動工具であって、
前記第１給電部材は、全部または一部が可撓部材で構成されるとともに、所定の撓み形状が保持されるように構成されていることを特徴とする電動工具。」
【００４３】
（態様５）
「態様１〜３のいずれかに記載の電動工具であって、
前記モータへの通電が可能とされた通電可能状態を作業者に報知する報知部を有することを特徴とする電動工具。」
【００４４】
（態様６）
「態様１に記載の電動工具であって、
前記雄型端子が前記雌型端子に挿入された状態を維持しつつ当該両端子を軸周りに相対回動動作することで、前記係合ロック部による前記雄型端子と前記雌型端子との係合ロックがなされることを特徴とする電動工具。」
【００４５】
（態様７）
「態様６に記載の電動工具であって、
前記雄型端子は、円柱状の差込部を有し、前記雌型端子は、前記差込部の挿入及び軸周りに相対回動可能な受け口を有し、
前記係合ロック部は、前記差込部の外面と前記受け口の内面のいずれか一方に設けられ、互いに連接されて軸方向と径方向に交差状に延在されるガイド溝と、他方に設けられ、前記ガイド溝に移動可能に嵌る突起とを有し、前記突起が前記ガイド溝の周方向領域に置かれることで前記雄型端子と前記雌型端子との係合ロックがなされることを特徴とする電動工具。」
【００４６】
（態様８）
「態様６または７に記載の電動工具であって、
前記雄型端子が前記雌型端子に挿入された状態を維持しつつ当該両端子を軸周りに相対回動動作させた場合に、前記雄型端子の電極片と前記雌型端子の電極片が互いに接触するように構成されていることを特徴とする電動工具。」
【符号の説明】
【００４７】
１０１  ハンマドリル（電動工具）
１０３  本体部
１０５  モータハウジング
１０７  ギアハウジング
１０９  ハンドグリップ
１０９ａ  トリガ
１１１  駆動モータ
１１３  運動変換機構
１１５  打撃要素
１１７  動力伝達機構
１１９  ハンマビット（先端工具）
１３７  ツールホルダ
１５０  コード接続装置
１５１  固定コード（第１給電部材）
１５１ａ  導体
１５３  電源コード（第２給電部材）
１５３ａ  導体
１５４  プラグ
１５５  コードコネクタ
１５７  コードガード
１６１  工具側コネクタ（第１電気端子）
１６３  コネクタ本体部
１６５  差込部
１６７  電極片
１７１  電源コード側コネクタ（第２電気端子）
１７３  コネクタ本体部
１７５  受け口
１７５ａ  受け口周縁部
１７７電極片
１７９  電極片ガイド孔
１８１  係合ロック部
１８３  ガイド溝
１８３ａ  第１ガイド溝
１８３ｂ  第２ガイド溝
１８５  突起
１８７  報知器（報知部）
１８７ａ，１８７ｂ  ＬＥＤランプ
【図１】
2012228741.tif 000003
【図２】
2012228741.tif 000004
【図３】
2012228741.tif 000005
【図４】
2012228741.tif 000006
【図５】
2012228741.tif 000007
【図６】
2012228741.tif 000008